(57)【要約】【課題】皮膚に海の波やそよ風のように多様な刺激を与え、皮膚を多面的に刺激して美顔効果を高め得るようになした美顔ローラーを提供する。【解決手段】グリップ部１１と回転可能なマッサージローラー部を備えた美顔ローラーにおいて、マッサージローラー部は、矩形面と三角形面を組み合わせた複合表面を備えた多角形構造の独立したローラーユニット１３を複数重ねると共に、前記複数のローラーユニット１３は金属シリコンを含有し、前記グリップ部１１を把持して皮膚を前記複数のローラーユニット１３で回転刺激することにより、前記複数のローラーユニット１３がそれぞれ異なる回転刺激を皮膚に与えるようにした。【選択図】図１
0003178741.tif 000002
【実用新案登録請求の範囲】
【請求項１】
グリップ部と回転可能なマッサージローラー部を備えた美顔ローラーにおいて、前記マッサージローラー部は、矩形面と三角形面を組み合わせた複合表面を備えた多角形構造の独立したローラーユニットを複数重ねると共に、前記複数のローラーユニットは金属シリコンを含有し、前記グリップ部を把持して皮膚を前記複数のローラーユニットで回転刺激することにより、前記複数のローラーユニットがそれぞれ異なる回転刺激を皮膚に与えるようになしたことを特徴とするテラヘルツ美顔ローラー。
【考案の詳細な説明】
【技術分野】
【０００１】
本考案は美顔ローラーに係り、特にローラー部分の改良によりこれまで以上に美顔効果を上げることができるテラヘルツ美顔ローラーに関する。
【背景技術】
【０００２】
下記の特許文献１に開示されているように、プラチナやゲルマニウムを含むローラー部で顔をマッサージするいわゆる美顔ローラーが市販されている。
【０００３】
図５は従来の美顔ローラー１００の外観図であり、ローラー部２００は５角形や４〜６角形の角柱の形状を有しており、各面にゲルマニウムを含有したゲルマニウム突部３００を複数備え、ローラー部２００のコーナー部２０１とゲルマニウム部３００とで皮膚に回転によるマッサージ刺激を加えるものである。
【先行技術文献】
【特許文献】
【０００４】
【特許文献１】特開２０１０−１７８９６１号公報
【考案の概要】
【考案が解決しようとする課題】
【０００５】
図５に示す従来の美顔ローラー１００によった場合は、ローラー部２００という１個の回転体のみが把手部の先端軸部に回転自在に取付けられたものであるため、当該１個の回転体のみによって得られる単調な刺激に過ぎず、皮膚に多様な刺激を与えることができないという問題点がある。
【０００６】
本考案は上記した従来型美顔ローラーの問題点を解決し、皮膚に海の波やそよ風のように多様な刺激を与え、皮膚を多面的に刺激して美顔効果を高め得るようになした美顔ローラーを提供することを目的とするものである。
【課題を解決するための手段】
【０００７】
上記課題を解決するための本考案の構成を詳述すれば、請求項１に係る考案は、グリップ部と回転可能なマッサージローラー部を備えた美顔ローラーにおいて、前記マッサージローラー部は、矩形面と三角形面を組み合わせた複合表面を備えた多角形構造の独立したローラーユニットを複数重ねると共に、前記複数のローラーユニットは金属シリコンを含有し、前記グリップ部を把持して皮膚を前記複数のローラーユニットで回転刺激することにより、前記複数のローラーユニットがそれぞれ異なる回転刺激を皮膚に与えるようになしたことを特徴とするテラヘルツ美顔ローラーである。
【考案の効果】
【０００８】
上述のように、本考案に係るテラヘルツ美顔ローラーによれば、矩形面と三角形面を組み合わせた多面体の複合表面を備えた複数のローラーユニットにより刺激が多様化され、さらに金属シリコンを含有するローラーユニットの全面から発生するテラヘルツ波による刺激が加わるので、皮膚がより活性化し美顔効果が向上するものである。
【図面の簡単な説明】
【０００９】
【図１】本考案に係るテラヘルツ美顔ローラーの第１の実施形態における外観図であり、図１（ａ）は側面図で、図１（ｂ）は図１（ａ）のＡ方向から見た平面図である。
【図２】本考案に係るテラヘルツ美顔ローラーの第２の実施形態における外観図である。
【図３】本考案に係るテラヘルツ美顔ローラーの第３の実施形態における外観図である。
【図４】本考案に係るテラヘルツ美顔ローラーの第４の実施形態における外観図である。
【図５】従来の美顔ローラーの外観を示す斜視図である。
【考案を実施するための形態】
【００１０】
以下、本考案に係るテラヘルツ美顔ローラーの具体的構成を図１〜図４に示す実施形態に基づき詳細に説明する。
【００１１】
［第１の実施形態の構造］
先ず、図１を用いて第１の実施形態におけるテラヘルツ美顔ローラー１０の構造を説明する。
図１（ａ）において、第１の実施形態におけるテラヘルツ美顔ローラー１０は、グリップ部１１と、当該グリップ部１１の一端面ほぼ中心部に挿着された軸部１２と、当該軸部１２に回転自在に嵌着された５個の独立したローラーユニット１３と回転軸１２の先端部に取着されたキャップ１４とから構成される。
【００１２】
グリップ部１１は数ｃｍの径と１０ｃｍ前後の長さを有していて、手のひらで握りやすいように中央上部にくびれ部を備えており、プラスチック材で構成され、その表面には後述する軸部１２と電気的に結合する金属蒸着膜が形成されている。
【００１３】
軸部１２は棒状の金属材料により構成され、その一端部がグリップ部１１に圧入法で挿入され固定されている。
【００１４】
ローラーユニット１３は、酸化シリコンを還元し高純度のシリコンに精製したいわゆる金属シリコンを材料とした６角柱の中央に、軸部１２を嵌入するための通孔を開けリング状に形成し、さらに外周面に矩形面と三角形面を組み合わせた複合多面体を形成したもので、軸部１２に、このローラーユニット１３を５個嵌入配設して構成したものである。
【００１５】
キャップ１４は、軸部１２に嵌着した５個の独立したローラーユニット１３が軸部１２から脱落しないように端部を封じるためのものである。なお、ローラーユニット１３同士の間に図示しない適宜形状のスペーサを配設して、ローラーユニット１３同士が回転中に接触しないようにする場合もある。
【００１６】
［第１の実施形態の動作］
使用者はグリップ部１１を握り、顔などの皮膚に５個のローラーユニット１３を転がしながらマッサージを行う。
５個のローラーユニット１３は、各々が矩形面と三角形面の組み合わせによる複合多面体で凹凸が形成されているので、皮膚に及ぼす刺激が増加するとともに、ローラーユニット１３の成分である金属シリコンから発生するテラヘルツ波が皮膚に加えられる。
【００１７】
［第１の実施形態の効果］
テラヘルツ美顔ローラー１０は、それぞれ独立したローラーユニット１３を５個備えているので、皮膚に及ぼす刺激は多様に変化且つ増加し、ローラーユニット１３の全面から発生するテラヘルツ波による刺激がさらに加わり、皮膚に対する新陳代謝促進が高まり美顔効果が上がるものである。
【００１８】
［第２の実施形態の構造］
次に、図２を用いて第２の実施形態におけるテラヘルツ美顔ローラー２０の構造を説明する。
図２において、第２の実施形態におけるテラヘルツ美顔ローラー２０は、グリップ部２１とグリップ部２１に挿入された軸部２２と、当該軸部２２に回転自在に嵌着された５個の独立したローラーユニット１３とから構成される。
【００１９】
この実施形態の場合、グリップ部２１はほぼＵ字型に形成され、手のひらで握りやすく、かつ５個のローラーユニット１３がグリップ部２１の中央部とほぼ並列に位置するように構成されている。なお、この第２の実施形態によった場合は、前記第１の実施形態におけるキャップ１４は不要となる。
【００２０】
［第２の実施形態の動作］
使用者はほぼＵ字型をなすグリップ部２１を握り、顔などの皮膚に５個のローラーユニット１３を転がしながらマッサージを行う。他の動作については第１の実施形態と同様なので重複する説明は省略する。
【００２１】
［第２の実施形態の効果］
テラヘルツ美顔ローラー２０は、グリップ部２１がほぼＵ字状に形成され、５個の独立したローラーユニット１３がグリップ部２１の中央部とほぼ並列に位置するので、マッサージの際の手の力が５個のローラーユニット１３に均等に加わることとなり、マッサージ効果が均一化される。また使用者の負担が軽減される。他の効果については前記した第１の実施形態と同様なので重複する説明は省略する。
【００２２】
［第３の実施形態の構造］
次に、図３を用いて第３の実施形態におけるテラヘルツ美顔ローラー３０の構造を説明する。図３において、第３の実施形態におけるテラヘルツ美顔ローラー３０は、グリップ部３１と当該グリップ部３１に挿着された二股状に分岐した軸部３２と、二股状に分岐したそれぞれの軸部に回転自在に嵌着された５個の独立したローラーユニット１３と２個のキャップ１４とから構成される。
【００２３】
グリップ部３１は、第１の実施形態におけるグリップ部１１より直径がやや大きいことを除き、第１の実施形態におけるグリップ部１１と同様構造なので重複する説明は省略する。
軸部３２はＹ字形に分岐され、基部はグリップ部３１の上端面中央に挿着され、Ｙ字形の２本の軸の各々に、５個のローラーユニット１３が嵌着されている。
なお、他の構造は前記第１の実施形態と同様なので重複する説明は省略する。
【００２４】
［第３の実施形態の動作］
使用者は多少太めのグリップ部３１を握り、顔などの皮膚に１０個のローラーユニット１３を転がしながらマッサージを行う。他の動作については第１の実施形態と同様であり重複する説明は省略する。
【００２５】
［第３の実施形態の効果］
テラヘルツ美顔ローラー３０は、１０個のローラーユニット１３がＹ字形に配列され、皮膚はＹ字形によって挟まれながら多様な刺激を受けるので、新陳代謝促進が高まり美顔効果が上がる。
【００２６】
［第４の実施形態の構造］
次に、図４を用いて第４の実施形態におけるテラヘルツ美顔ローラー４０の構造を説明する。図４において、第４の実施形態におけるテラヘルツ美顔ローラー４０は、５本のグリップ部４１１〜４１５と２本の軸部４２と合計１０個の独立したローラーユニット１３とから構成される。
【００２７】
前記５本のグリップ部４１１〜４１５は、グリップ部４１１およびグリップ部４１２がグリップ部４１３の一方の端部に開閉自在に結合され、グリップ部４１４およびグリップ部４１５がグリップ部４１３の他方の端部に開閉自在に結合され、グリップ部４１１の先端部とグリップ部４１４の先端部とに跨る軸部４２に５個のローラーユニット１３が嵌入され、グリップ部４１２の先端部とグリップ部４１５の先端部とに跨る軸部４２に５個のローラーユニット１３が嵌入されている。
その他の構造は第１の実施形態と同様であり、同一の要素には同一の要素番号を付し重複する説明は省略する。
【００２８】
［第４の実施形態の動作］
使用者は５本のグリップ部４１１〜４１５の何れか、もしくは複数本を手で握り、顔などの皮膚に１０個のローラーユニット１３を転がしながらマッサージを行う。他の動作については前記第１の実施形態と同様なので重複する説明は省略する。
【００２９】
［第４の実施形態の効果］
テラヘルツ美顔ローラー４０は、５本のグリップ部４１１〜４１５によって５個のローラーユニット１３の間隔や位置を自由に変えることができるので、１０個のローラーユニット１３による刺激がさらに多様化し、顔のみでなく身体の様々な部分に刺激を加えることが可能となる。
【００３０】
なお、以上の実施例においてはローラーユニット１３の数を５個単位で説明したが、勿論５個以外の数も可能である。また、ローラーユニット１３の表面構造は、矩形面と三角形面の組み合わせによる多面体のみならず、矩形面または三角形面何れか一方による多面体でも実現可能である。
【符号の説明】
【００３１】
１０、２０、３０、４０：テラヘルツ美顔ローラー
１１、２１、３１、４１１、４１２、４１３、４１４、４１５：グリップ部
１２、２２、３２、４２：軸部
１３：ローラーユニット
１４：キャップ
１００：美顔ローラー
２００：ローラー部
２０１：コーナー部
３００：ゲルマニウム部
【図１】
0003178741.tif 000003
【図２】
0003178741.tif 000004
【図３】
0003178741.tif 000005
【図４】
0003178741.tif 000006
【図５】
0003178741.tif 000007